(57)【要約】      （修正有）【課題】水辺環境を創出するための屋上緑化用の人工地盤であって、屋上に作用する積載荷重を低減することができる人工地盤を提供すること。【解決手段】水辺環境を創出するための屋上緑化用の人工地盤１０は、屋上１２に配置された水溜め１４と、該水溜め１４を満たす又は一部が前記水溜め１４を満たす透水層１６と、該透水層１６に隣接して前記屋上１２に配置された、前記透水層１６とほぼ等しい厚さを有する非透水層１８と、一部が前記透水層１６上にあり、他の一部が前記非透水層１８上にある植生層２０とを含み、前記植生層２０の上面には非透水性材料によって形成された水路等２２が設けられている。【選択図】図１
2007228885.tif 000002
【特許請求の範囲】
【請求項１】
水辺環境を創出するための屋上緑化用人工地盤であって、屋上に配置された水溜めと、該水溜めを満たす又は一部が前記水溜めを満たす透水層と、該透水層に隣接して前記屋上に配置された、前記透水層とほぼ等しい厚さを有する非透水層と、一部が前記透水層上にあり、他の一部が前記非透水層上にある植生層とを含み、前記植生層の上面には非透水性材料によって形成された水路等が設けられている、屋上緑化用人工地盤。
【請求項２】
前記水溜め内に溜まった水を前記水路等へ送る送水管を備える、請求項１に記載の屋上緑化用人工地盤。
【請求項３】
前記植生層は土からなる、請求項１に記載の屋上緑化用人工地盤。
【請求項４】
前記透水層は多孔質材料からなる、請求項１に記載の屋上緑化用人工地盤。
【請求項５】
前記非透水層は、発泡スチロール又は非透水性シートで覆われた多孔質材料からなる、請求項１に記載の屋上緑化用人工地盤。
【請求項６】
一部が前記水路等中にあり、他の一部が前記植生層内にある吸水性材料を備える、請求項１に記載の屋上緑化用人工地盤。
【請求項７】
前記吸水性材料は不織布又は繊維質材料である、請求項６に記載の屋上緑化用人工地盤。
【発明の詳細な説明】
【技術分野】
【０００１】
本発明は、植物、魚貝、昆虫等が共存する水辺環境を創出するための屋上緑化用人工地盤に関する。
【背景技術】
【０００２】
近年、ヒートアイランド現象の抑制、都市景観の向上等を目的として屋上緑化が行われている。特に、東京都が条例により一定基準を超える敷地面積を有する新たな建築物について屋上緑化を義務付けたことにより、屋上緑化の需要はより一層高くなっている。屋上緑化には、植物、魚貝、昆虫等が共存する空間を作るために水路、池等（以下「水路等」という。）を設けて水辺環境を創出するものがある。植物、魚貝、昆虫等の生物が共存する空間は、ビオトープと呼ばれ、人々に安らぎの場又は生物との触れあいの場を提供する。
【０００３】
従来、屋上緑化用の人工地盤には、屋上に配置された水溜めと、該水溜め内に配置された透水層と、該透水層上にある植生層とを含むものがある（特許文献１、２参照）。また、図４に示す従来例では、屋上緑化用の人工地盤１００は、屋上１０２に配置された水溜め１０４と、該水溜めを満たす透水層１０６と、該透水層上にある植生層１０８とを含み、該植生層の上面には水路１１０と該水路の下流部に形成された池１１２とが設けられている。
【特許文献１】特開２００４−１２１１７８号公報
【特許文献２】特開２００３−１０２２６５号公報
【０００４】
植物、魚貝、昆虫等が共存するのに適した水辺環境を創出するためには水路１１０と池１１２とに清浄な水を供給する必要がある。特に、ホタルの生育にとって清浄な水の供給は重要である。図４に示した従来例では、水路１１０に水を供給すると、該水は池１１２に流入し、該池に溜まった水が越流して水溜め１０４内に供給される。水溜め１０４内に溜まった水は透水層１０６内を経ることによって濾過され、濾過された水は再び水路１１０に供給される。このように水を循環させることによって水路１１０と池１１２とに清浄な水を供給することができる。
【発明の開示】
【発明が解決しようとする課題】
【０００５】
ところで、人工地盤１００は、水溜め１０４が植生層１０８下方の一部にではなく全体にある。このため、人工地盤１００が屋上１０２の比較的広い範囲に設られた場合、水溜め１０４内に溜まる水の量が多くなり、その重量が大きくなる。これは、屋上１０２に作用する積載荷重が大きくなることを意味し、人工地盤１００が設置される建築物の強度を予め高くしておかなければならないことになり、不経済である。
【０００６】
本発明の目的は、水辺環境を創出するための屋上緑化用の人工地盤であって、屋上に作用する積載荷重を低減することができる人工地盤を提供することである。
【課題を解決するための手段】
【０００７】
本発明は、水溜めが存在する範囲を比較的狭くすることによって、前記水溜め内に溜まる水の重量を比較的小さくする。
【０００８】
本発明に係る、水辺環境を創出するための屋上緑化用の人工地盤は、屋上に配置された水溜めと、該水溜めを満たす又は一部が前記水溜めを満たす透水層と、該透水層に隣接して前記屋上に配置された、前記透水層とほぼ等しい厚さを有する非透水層と、一部が前記透水層上にあり、他の一部が前記非透水層上にある植生層とを含み、前記植生層の上面には非透水性材料によって形成された水路等が設けられている。前記植生層の一部が前記透水層上にあり、前記植生層の他の一部が前記非透水層上にあることによって、前記水溜めが存在する範囲を比較的狭くすることができる。これにより前記水溜め内に溜まる水の重量を比較的小さく抑えることができるため、前記屋上に作用する積載荷重を低減することができる。
【０００９】
また、前記水路等に水を供給すると、該水は前記水路等から前記水溜め内に供給される。前記水溜め内に溜まった水は前記透水層内を経ることによって浄化され、浄化された水は再び前記水路等に供給される。このように水を循環させることにより前記水路等に清浄な水を供給することができる。前記人工地盤は、前記水溜め内に溜まった水を前記水路等へ送る送水管を備えることができる。
【００１０】
前記透水層は多孔質材料により形成することができ、これにより前記透水層の水の浄化能力を向上させることができる。前記非透水層は、発泡スチロールにより形成することができ、また、非透水性シートで覆われた多孔質材料により形成することができる。前記非透水層の材料として発泡スチロール又は多孔質材料のような比較的軽量な材料を用いることによって、前記人工地盤を軽量化することができる。前記植生層は土により形成することができる。
【００１１】
前記人工地盤は、一部が前記水路等中にあり、他の一部が前記植生層内にある吸水性材料を備えることができる。前記吸水性材料は前記水路等中の水を吸い取り、前記植生層は前記吸水性材料から水を吸収する。これにより前記植生層は植物の生育に必要な水分を得ることができる。前記吸水性材料は不織布又は繊維質材料とすることができる。
【発明の効果】
【００１２】
本発明によれば、前記水溜めが存在する範囲を比較的狭くすることによって、前記水溜め内に溜まる水の重量を比較的小さくすることができる。これにより前記屋上に作用する積載荷重を低減することができる。
【発明を実施するための最良の形態】
【００１３】
図１に示すように、水辺環境を創出するための屋上緑化用の人工地盤１０は、屋上１２に配置された水溜め１４と、該水溜めを満たす透水層１６と、該透水層に隣接して屋上１２に配置された非透水層１８と、一部が透水層１６上にあり、他の一部が非透水層１８上にある植生層２０とを有する。植生層２０には植物を生育させることができ、植生層２０の上面には水路等２２が設けられている。人工地盤１０の寸法は、例えば、幅が約１．５ｍであり、長さが約７．５ｍである。また、図示の例では、人工地盤１０の周囲は側壁２４で囲まれている。
【００１４】
水溜め１４は、屋上１２への漏水を防止するために非透水性材料からなり、水路等２２から供給された水を溜める。水溜め１４が植生層２０下方の一部にあるため、水溜め１４内に溜まる水の重量は、水溜め１４が植生層２０下方の全体にある場合と比較して小さい。
【００１５】
透水層１６は、透水性材料からなり、水溜め１４内に溜まった水を濾過する。透水層１６は、その全体が水溜め１４を満たす図示の例に代え、その一部が水溜め１４を満たし、他の一部が水溜め１４から上方へ突出してもよい。透水層１６の厚さは１０ｃｍないし２０ｃｍ程度である。
【００１６】
前記透水性材料は発泡ガラス、多孔質セラミックス、発泡金属、発泡ウレタン、軽石、ゼオライト等のような多孔質材料であることが望ましい。前記多孔質材料は、内部に無数の微細な孔を有するため、水質汚濁の原因となる有機物又は窒素、リン等の栄養塩類を効率よく吸着する。また、前記微細な孔には微生物が付着しやすいため、該微生物の働きによって水を浄化することもできる。このため、透水層１６に前記多孔質材料を用いることによって、透水層１６の水の浄化能力を向上させることができる。
【００１７】
非透水層１８は水を透さない。よって植生層２０下では水溜め１４内にのみ水が存在する。非透水層１８は、人工地盤１０を軽量化するために比較的軽量な材料により形成することが望ましい。図示の例では、非透水層１８は発泡スチロールからなる。発泡スチロールは比較的軽量であるため、非透水層１８を発泡スチロールで形成することによって人工地盤１０を軽量化することができる。また、非透水層１８は、発泡スチロールからなる上記の例に代え、非透水性シートで覆われた多孔質材料により形成することができる。多孔質材料は比較的軽量であるため、非透水層１８を非透水性シートで覆われた多孔質材料により形成することによっても人工地盤１０の軽量化を図ることができる。非透水層１８の厚さは、透水層１６の厚さとほぼ等しいが、植生層２０の上面の形状に応じて部分的に変えてもよい。予め、非透水層１８の厚さを大きくし、その分非透水層１８上の植生層の厚さを小さくすることによって、人工地盤１０の軽量化を図ることができる。
【００１８】
植生層２０は土からなり、前記土は人工軽量土壌であることが望ましい。これにより人工地盤１０を軽量化する。前記人工軽量土壌は粉状の発泡ガラスのような多孔質材料を含んでもよい。前記人工軽量土壌が多孔質材料を含むことによって、植生層２０の保水性を高めることができる。植生層２０の一部は、透水層１６に染み込んだ水を吸収することによって植物の生育に必要な水分を確保し、植生層２０の他の一部には散水、降雨等により植物の生育に必要な水分を供給する。植生層２０を透水層１６又は非透水層１８上に設けるときは、前記土を予めマット状に成形して配置してもよいし、前記土を成形することなく載せてもよい。
【００１９】
植生層２０の一部が透水層１６上にあり、植生層２０の他の一部が非透水層１８上にあることによって、水溜め１４が存在する範囲が植生層２０の下方の一部に制限される。このように水溜め１４が存在する範囲を制限することによって、水溜め１４内に溜まる水の重量を比較的小さく抑えることができ、これにより屋上１２に作用する積載荷重を低減することができる。
【００２０】
水路等２２は、図１、２に示すように、水路２２ａと該水路の下流部に形成された池２２ｂとからなり、水路２２ａ及び池２２ｂのそれぞれは非透水性材料によって形成されている。水路２２ａを形成する非透水性材料２２ｃとして、蛇行する水路の形成を容易にするために、例えば、軸線方向に沿って半分に分割されたアルミニウム製のフレキシブル管を用いることができる。水路等２２は、図示の例に代え、水路２２ａ及び池２２ｂのいずれかであってもよい。水路等２２が非透水性材料で形成されることによって、水路等２２内の水が漏れて非透水層１８上に供給されるのを防止する。
【００２１】
水路２２ａに水を供給すると、該水は池２２ｂに流入し、該池に溜まった水は越流して水溜め１４内に供給される（図１）。水溜め１４内に溜まった水は透水層１６に透水することによって浄化され、浄化された水を再び水路２２ａに供給する。このように水を循環させることによって、水路２２ａと池２２ｂとに清浄な水を供給することができる。
【００２２】
水路２２ａへの水の供給は、人手によって行ってもよいが、ポンプを用いて行うこともできる。この場合、人工地盤１０は、水溜め１４内と連通する水槽２６に配置されたポンプ２８と、該ポンプと水路２２ａの上流部とを接続する送水管３０とを備える。水を循環させるとき、ポンプ２８を運転させて水溜め１４内に溜まった水を送水管３０を経て水路２２ａの上流部へ送る。
【００２３】
また、人工地盤１０は、水路２２ａに供給する水を補給するために水槽２６と水道とを接続する配管３２を備えることができる。蒸発又は植物による水分の消費によって水路２２ａに供給する水が不足したとき、配管３２を経て水槽２６内へ水道水を供給する。このとき、水槽２６内に予め配置された水位計（図示せず）と連動させて水槽２６への水道水の供給を自動で行うことによって、人工地盤１０の管理作業の軽減を図ることができる。
【００２４】
図３に示す例では、人工地盤１０は、一部が水路２２ａの中にあり、他の一部が植生層２０内にある吸水性材料３４を備える。吸水性材料３４は水路２２ａの水を吸い取ることができ、植生層２０は吸水性材料３４から水を吸収する。これにより植生層２０は植物の生育に必要な水分を得ることができる。人工地盤１０が吸水性材料３４を備えることによって、植生層２０への散水が不要となり、人工地盤１０の管理作業の低減を図ることができる。
【００２５】
吸水性材料３４は不織布又は繊維質材料とすることができる。前記繊維質材料には、ヤシの繊維、木材の細片等が含まれる。吸水性材料３４は、その一部が水路２２ａの中にある図３の例に代え、その一部が池２２ｂの中にあってもよい。また、吸水性材料３４を配置することに代え、水路２２ａ又は池２２ｂの水際に苔を生息させてもよい。前記苔は、水路２２ａ又は池２２ｂの水を吸い取り、吸い取った水を植生層２０へ供給する。
【００２６】
図示の例において、水溜め１４が存在する範囲を比較的狭くすることによって、水溜め１４内に溜まる水の重量を比較的小さくすることができる。これにより屋上１２に作用する積載荷重を低減することができる。
【図面の簡単な説明】
【００２７】
【図１】本発明に係る屋上緑化用人工地盤の縦断面図。
【図２】本発明に係る屋上緑化用人工地盤の平面図。
【図３】図１に線３における横断面図。
【図４】従来の屋上緑化用人工地盤の縦断面図。
【符号の説明】
【００２８】
１０    人工地盤
１２    屋上
１４    水溜め
１６    透水層
１８    非透水層
２０    植生層
２２    水路等
３４    吸水性材料
【図１】
2007228885.tif 000003
【図２】
2007228885.tif 000004
【図３】
2007228885.tif 000005
【図４】
2007228885.tif 000006